(57)【特許請求の範囲】
【請求項１】
筐体のコネクタをカバーする回転式端子カバーの取付け／取外し構造において、
前記回転式端子カバーの一端に固定され、円筒形状に形成され、前記回転式端子カバーを回転可能に筐体の挿入穴に挿入される１つの端子カバー腕部と、
前記端子カバー腕の先端に中心に切り欠きのあるくさびの形に形成され、挿入時に前記挿入穴に引っ掛かけ抜き止めし、くさびの板状の厚さを前記端子カバー腕の円筒形の直径より小さくし、前記挿入穴に挿入時又は前記挿入穴からの引抜き時に切り欠きのくさびを撓ませ、前記回転式端子カバーの取付け／取外しを行うための腕先端部とを備えることを特徴とする回転式端子カバーの取付け／取外し構造。
【請求項２】
前記端子カバー腕部と前記腕先端部とをエラストマの材料で一体に形成することを特徴とする、請求項１に記載の回転式端子カバーの取付け／取外し構造。
【請求項３】
前記筐体の挿入穴の位置に角度決め穴部を設け、前記角度決め穴部は前記挿入穴と同じ穴を有し、前記同じ穴に溝を設け、前記回転式端子カバーを引っ張った時に前記腕先端部のくさびの後端を前記溝に嵌合し、前記回転式端子カバーの回転を指定した角度に固定することを特徴とする、請求項１に記載の回転式端子カバーの取付け／取外し構造。
【請求項４】
前記指定した角度は９０°であることを特徴とする、請求項１に記載の回転式端子カバーの取付け／取外し構造。
【請求項５】
筐体のコネクタをカバーする回転式端子カバーの取付け／取外しを行う折畳み式携帯電話機において、
前記回転式端子カバーの一端に固定され、円筒形状に形成され、前記回転式端子カバーを回転可能に筐体の挿入穴に挿入される１つの端子カバー腕部と、
前記端子カバー腕の先端に中心に切り欠きのあるくさびの形に形成され、挿入時に前記挿入穴に引っ掛かけ抜き止めし、くさびの板状の厚さを前記端子カバー腕の円筒形の直径より小さくし、前記挿入穴に挿入時又は前記挿入穴からの引抜き時に切り欠きのくさびを撓ませ、前記回転式端子カバーの取付け／取外しを行うための腕先端部とを備えることを特徴とする折畳み式携帯電話機。
【発明の詳細な説明】
【技術分野】
【０００１】
本発明は折畳み式携帯電話機の端子カバーに関する。特に、本発明は、コネクタと端子カバーの干渉を防止することを可能とする折畳み式携帯電話機の端子カバーの取付け／取外し構造に関する。
【背景技術】
【０００２】
従来の折畳み式携帯電話機では充電用メス側コネクタ、イヤホンマイクロフォン接続用メス側コネクタ等が筐体側に搭載され、充電用メス側コネクタ、イヤホンマイクロフォン接続用メス側コネクタは使用時以外には端子カバーでカバーされている。
近年、コネクタの一体化、コネクタの形状多様化に伴い、従来の端子カバーの引き出し方法では、オス側コネクタと端子カバーが干渉し、端子カバーを引き出し後筐体のメス側コネクタとオス側コネクタを安定して接続ができないという問題があった。
【０００３】
この改善として、端子カバー開時に筐体に対して端子カバーを３６０°回転可能とし、且つ、筐体に対して端子カバー自体を引き抜き可能にする機構が必須となっている。
端子カバーの一端には端子カバー脚部が設けられ、端子カバー脚部は端子カバーを回転するため、基本的には円筒形状を取る必要がある。
【０００４】
さらに、端子カバー脚部は端子カバーと反対側の先端を筐体の挿入穴に挿入し端子カバーを回転可能に筐体に取り付ける機能を有する。
さらに、端子カバー脚部では先端が爪形状になっており、挿入時に筐体の挿入穴に先端が引っ掛かるようになっている。
この場合、端子カバー脚部が円筒形状しているため、端子カバー脚部を挿入する端子カバーの先端の形状も円筒に合わせて引っ掛かり形状となる。
【０００５】
このため、端子カバー脚部の爪形状の先端と筐体の挿入穴との接触面積が大きく、端子カバー脚部の挿入時の力（圧入）が多く必要となり、挿入性が悪くなり、筐体への取付けが難しくなり、端子カバーの機能を満足できなくなるという問題がある。
同様に、端子カバー脚部の爪形状の先端と筐体の挿入穴との接触面積が大きく、端子カバー自体を折畳み式携帯電話機の筐体から引き抜く際には端子カバー脚部と筐体の挿入穴の嵌合力が強く、端子カバーの材料が主にエラストマであるため、端子カバー脚部が切断され又は伸びてしまい、再度筐体への取り付けが不可能となり、端子カバーの機能を満足できなくなるという問題がある。
【０００６】
すなわち、使用時に端子カバーを回転し、端子カバーを筐体に対して必要に応じて端子カバーの挿入、引抜を行うことができないという問題がある。
このような端子カバーの従来技術として以下のようなものがある。
従来、コネクタカバーの抜け落ちを防止するとともに、製造工程におけるコネクタカバーの組み込み性の容易化および取り扱い性の向上を図ることが可能な構造を有する携帯端末機器および携帯端末機器用コネクタカバーを提供するため、先端部分に引っ掛け爪が形成された突起部を有し、当該突起部により筐体に装着されるコネクタカバーと、外部接続用コネクタと、前記外部接続用コネクタに対応する開口部と、前記突起部が挿入される孔が形成され、当該孔を前記突起部の先端部分が通過した先に前記引っ掛け爪を係止するリブを有する係止部と、を備える前記筐体と、を備える携帯端末機器であって、前記突起部の先端部分には溝が設けられており、前記突起部の先端部分は、前記溝の方向に収縮して前記係止部の孔を通過するように構成するものがある（例えば、特許文献１参照）。
【０００７】
しかしながら、上記特許文献１では、突起部は孔を通過する際に溝の方向に収縮して引っ掛け爪をリブに係止しコネクタカバーを筐体に装着するが、使用時に端子カバーを回転し、端子カバーを筐体に対して必要に応じて端子カバーの挿入、引抜を行うものではない。
また、従来、キャビネット１に内蔵されたコネクターを露出させるための開口にカバーが取り付けられている携帯型電子機器において、コネクターに外部接続端子を接続する作業が容易となり、然も接続の際にカバーに無理な力が作用することのないカバー構造を提供するため、本発明に係る携帯型電子機器において、カバーは、帯板状の本体と、該本体の一方の端部に突設された軸部と、該軸部の先端部に突設された鍔部とを具え、キャビネットには、カバーの本体を収容するための凹部が形成されると共に、カバーの軸部が回転可能且つ軸方向の移動が可能に貫通する軸受け孔が開設されているものもある（例えば、特許文献２参照）。
【０００８】
しかしながら、上記特許文献２では、カバーの軸部が回転可能且つ軸方向の移動が可能になるものであるが、使用時に端子カバーを回転すると共に、端子カバーを筐体に対して必要に応じて端子カバーの挿入、引抜を行うものではない。
また、従来、キャップが外れ難く、且つ取り付け及び取り外しが容易な小型電子機器を提供するため、本発明に係る小型電子機器は、筐体に開設した開口部から露出する外部接続端子と、開口部を閉塞するキャップを具え、キャップは、本体部に突設した軸部と、横長の形状を呈する抜け止め部とを具え、筐体に開設した縦長の形状を呈する取付孔を軸部が貫通して、筐体に回動可能に枢支され、キャップが開口部を閉塞する第１回動姿勢にて、抜け止め部の長辺方向と取付孔の長辺方向とが直交して、抜け止め部と筐体の裏面とは大なる対向面積で重なり、第１回動姿勢からキャップを時計方向に９０度回転させた第２回動姿勢にて、抜け止め部の長辺方向と取付孔の長辺方向とが一致して、抜け止め部と筐体の裏面とは小なる対向面積で重なり、キャップの係脱が可能となるものもある（例えば、特許文献３参照）。
【０００９】
しかしながら、上記特許文献３では、キャップが回動可能であり、抜け止め部の長辺方向と取付孔の長辺方向とが一致、不一致により、キャップの係脱が行われるが、抜け止め部の長辺方向と取付孔の長辺方向とが偶然に一致すると、必要とされていないときにキャップの逸脱が行われるという問題がある。
また、従来、回転型可変抵抗器では、基板の貫通穴をプレス加工で形成していたので、前記貫通穴の内面が微小の凹凸面状になっているために、この凹凸面にツマミの連結部を係合させて回転していたので、繰り返しの回転を行うと、前記ツマミの連結部が磨耗して、ツマミを回転するときにツマミがガタになったり、回転ムラ等で回転のフィーリングが悪くなっていたため、回転型可変抵抗器は、基板の貫通穴に、軸受をスナップイン係合して取り付けて、この軸受の穴にツマミの回転軸をスナップイン係合して取り付け、このことにより、軸受の内部で回転軸が回転するので回転寿命特性が向上し、また、回転軸先端の係子部材に抜け止め部材を、回転体の位置決め突起にガイドして取り付けているので、軸ガタ等の問題が解決されるものもある（例えば、特許文献４参照）。
【００１０】
しかしながら、上記特許文献４では、回転型可変抵抗器は回転軸先端の係子部材に抜け止め部材を取り付けているが、使用時に端子カバーを回転し、端子カバーを筐体に対して必要に応じて端子カバーの挿入、引抜を行うものではない。
【００１１】
【特許文献１】特開２００３−２５８９６４号公報
【特許文献２】特開２００５−２４２８６５号公報
【特許文献３】特開２００６−１１４３００号公報
【特許文献４】特開平０９−２４６０１９号公報
【発明の開示】
【発明が解決しようとする課題】
【００１２】
したがって、本発明は上記問題点に鑑みて、回転させる機構を持ち、取付け、取外し性を容易にし、製造組立て容易性向上及びユーザビリティ向上を図る回転式端子カバーの取付け／取外し構造及び折畳み式携帯電話機を提供することを目的とする。
【課題を解決するための手段】
【００１３】
本発明は前記問題点を解決するために、筐体のコネクタをカバーする回転式端子カバーの取付け／取外し構造において、前記回転式端子カバーの一端に固定され、円筒形状に形成され、前記回転式端子カバーを回転可能に筐体の挿入穴に挿入される１つの端子カバー腕部と、前記端子カバー腕の先端に中心に切り欠きのあるくさびの形に形成され、挿入時に前記挿入穴に引っ掛かけ抜き止めし、くさびの板状の厚さを前記端子カバー腕の円筒形の直径より小さくし、前記挿入穴に挿入時又は前記挿入穴からの引抜き時に切り欠きのくさびを撓ませ、前記回転式端子カバーの取付け／取外しを行うための腕先端部とを備えることを特徴とする回転式端子カバーの取付け／取外し構造を提供する。
【００１４】
さらに、前記端子カバー腕部と前記腕先端部とをエラストマの材料で一体に形成する。
さらに、前記筐体の挿入穴の位置に角度決め穴部を設け、前記角度決め穴部は前記挿入穴と同じ穴を有し、前記同じ穴に溝を設け、前記回転式端子カバーを引っ張った時に前記腕先端部のくさびの後端を前記溝に嵌合し、前記回転式端子カバーの回転を指定した角度に固定する。
さらに、前記指定した角度は９０°である。
【００１５】
さらに、本発明は、筐体のコネクタをカバーする回転式端子カバーの取付け／取外しを行う折畳み式携帯電話機において、前記回転式端子カバーの一端に固定され、円筒形状に形成され、前記回転式端子カバーを回転可能に筐体の挿入穴に挿入される１つの端子カバー腕部と、前記端子カバー腕の先端に中心に切り欠きのあるくさびの形に形成され、挿入時に前記挿入穴に引っ掛かけ抜き止めし、くさびの板状の厚さを前記端子カバー腕の円筒形の直径より小さくし、前記挿入穴に挿入時又は前記挿入穴からの引抜き時に切り欠きのくさびを撓ませ、前記回転式端子カバーの取付け／取外しを行うための腕先端部とを備えることを特徴とする折畳み式携帯電話機を提供する。
【発明の効果】
【００１６】
以上説明したように、本発明によれば、回転式端子カバーの一端に固定され、円筒形状に形成され、前記回転式端子カバーを回転可能に筐体の挿入穴に挿入される１つの端子カバー腕部と、端子カバー腕の先端に中心に切り欠きのあるくさびの形に形成され、挿入時に挿入穴に引っ掛かけ抜き止めし、くさびの板状の厚さを端子カバー腕の円筒形の直径より小さくし、挿入穴に挿入時又は挿入穴からの引抜き時に切り欠きのくさびを撓ませ、回転式端子カバーの取付け／取外しを行うための腕先端部とを設けるようにしたので、端子カバー腕を抜き止めしつつ回転式端子カバー１０２を３６０°回転させる機構を持ち、且つ、端子カバー腕の挿入時又は引き抜き時に適度な挿入力又は引き抜き力を可能とし、製造組立て容易性向上及びユーザビリティ向上が可能となる。
【００１７】
すなわち、本構造により、回転式端子カバーの使用時に端子カバー腕１０３が引き抜かれても再度問題なく、筐体の挿入穴に端子カバー腕の挿入が可能となる。
回転式端子カバーを指定した角度、例えば、９０°回転した状態に手を用いずに固定したい場合があり、回転式端子カバーが任意に回転して他の操作の邪魔になるのを防止することが可能になる。
【発明を実施するための最良の形態】
【００１８】
以下、本発明の実施の形態について図面を参照して説明する。
図１は本発明に係る折畳み式携帯電話機における端子カバーの概略構造を示す斜視図である。本図に示すように、折畳み式携帯電話機１００では筐体１０１の側面に回転式端子カバー１０２が設けられ、回転式端子カバー１０２は開時に３６０°回転する機構を有する。
【００１９】
図２は図１の回転式端子カバー１０２の概略構造を示す図であり、図３は図１における折畳み式携帯電話機１００の回転式端子カバー１０２について挿入前の概略構造を示す斜視図である。
図２(ａ)は回転端子カバー１０２の正面を示す図であり、図２(ｂ)、(ｄ)は回転式端子カバー１０２の横側面を示す図であり、図２(ｇ)、(ｈ)は回転式端子カバー１０２の縦側面を示す図であり、図２(ｃ)は回転式端子カバー１０２の裏面を示す図であり、図２(ｅ)は回転式端子カバー１０２の裏面の斜視図であり、図２(ｆ)は回転式端子カバー１０２の正面の斜視図である。本図２に示すように、回転式端子カバー１０２の一端には端子カバー腕部１０３が固定され、端子カバー腕部１０３は回転可能に基本的には円筒形状をなす。さらに、端子カバー腕部１０３の先端には腕先端部１０４が設けられ、腕先端部１０４は中心に切り欠きのあるくさび形に形成される。
【００２０】
本図３に示す筐体１０１の挿入穴１０５に端子カバー腕１０３が挿入され、挿入穴１０５への挿入状態で端子カバー腕部１０３が３６０°回転可能である。
さらに、腕先端部１０４は回転時に挿入穴１０５から回転式端子カバー１０２を抜き止めし、さらに、挿入穴１０５への挿入時に回転式端子カバー腕１０３の挿入力の低減を行い、挿入穴１０５からの引き抜き時に回転式端子カバー腕１０３の引き抜き力の低減を行う。
【００２１】
図４は図２における端子カバー腕１０３及び腕先端部１０４の詳細構造を示す斜視図である。本図に示す端子カバー腕１０３及び腕先端部１０４は、例えば、エラストマの材料で一体に形成される。
中心に切り欠きのあるくさび形に形成される腕先端部１０４は接触部１０４Ａ、引っ掛け部１０４Ｂ及び切り欠き部１０４Ｃからなる。
【００２２】
接触部１０４Ａは端子カバー腕１０３の挿入時、引き抜き時に筐体１０１の挿入穴１０５と接触する部分であり、くさび形の板状の厚さを端子カバー腕１０３の円筒形の直径より小さくし、筐体１０１の挿入穴１０５の全周の一部とだけ接触するようにし、挿入穴１０５との接触面積を小さくしてある。
引っ掛け部１０４Ｂは端子カバー腕１０３の挿入時に筐体１０１の挿入穴１０５に引っ掛かける爪部分であり、くさび形の後端幅を端子カバー腕１０３の円筒形の直径よりも大きくし、前述のように、くさび形の板状の厚さを端子カバー腕１０３の円筒形の直径より小さくすることにより、筐体１０１の挿入穴１０５の全周の一部とだけ引っ掛けるようにし、挿入穴１０５との引っ掛け面積を小さくしてある。
【００２３】
切り欠き部１０４Ｃはくさびの中央に切り欠きにより、くさびに撓みを持たせ、筐体１０１の挿入穴１０５へ端子カバー腕１０３の挿入、引き抜きに対して挿入力、引き抜き力を低減する。
図５−図１０は端子カバー腕１０３及び腕先端部１０４の挿入、引き抜きの一連の動作例を説明する断面図である。
【００２４】
図５に示ように、筐体１０１の挿入穴１０５に腕先端部１０４を当て挿入を開始する。図６に示すように、回転式端子カバー１０２を押すと、接触部１０４Ａが挿入穴１０５の周囲の一部と接触し、腕先端部１０４が挿入され、切り欠き部１０４Ｃを狭めるようにくさびが撓む。
図７に示すように、さらに、回転式端子カバー１０２を押すと、腕先端部１０４の引っ掛け部１０４Ｂが挿入穴１０５の周囲の一部と接触し、腕先端部１０４が挿入されし、引っ掛け部１０４Ｂを最大に狭めるようにくさびが撓む。
【００２５】
図８に示すように、さらに、回転式端子カバー１０２を押すと、腕先端部１０４の引っ掛け部１０４Ｂが挿入穴１０５を通過し、腕先端部１０４が挿入され、狭められた引っ掛け部１０４Ｂを広めるようにくさびの撓みが緩和される。
図９に示すように、腕先端部１０４の挿入穴１０５への挿入が完了すると、切り欠き部１０４Ｃが狭められる前の状態に戻る。この状態で、回転式端子カバー１０２の３６０°の回転が可能である。回転式端子カバー１０２の回転時に、引っ掛け部１０４Ｂにより端子カバー腕１０３を筐体１０１の挿入穴１０５からの抜き止めが行われる。
【００２６】
図１０に示すように、さらに、回転式端子カバー１０２を押すと、回転式端子カバー１０２が筐体１０１に収容される。
このようにして、端子カバー腕１０３の挿入時には腕先端部１０４と挿入穴１０５の接触部分が従来よりも小さくなり、腕先端部１０４が撓むことにより、挿入力が低減される。
【００２７】
なお、端子カバー腕１０３の引き抜き時には、上記の逆の動作を行うことにより、腕先端部１０４と挿入穴１０５の接触部分が従来よりも小さくなり、腕先端部１０４が撓むことにより、腕先端部１０４が撓むことにより、引き抜き力が低減される。
したがって、本発明の構造によれば、端子カバー腕１０３を抜き止めしつつ回転式端子カバー１０２を３６０°回転させる機構を持ち、且つ、端子カバー腕１０３の挿入時又は引き抜き時に適度な挿入力又は引き抜き力を可能とし、製造組立て容易性向上及びユーザビリティ向上が可能となる。
【００２８】
すなわち、本構造により、回転式端子カバー１０２の使用時に端子カバー腕１０３が引き抜かれても再度問題なく、筐体１０１の挿入穴１０５に端子カバー腕１０３の挿入が可能となる。
【実施例１】
【００２９】
図１１は回転式端子カバー１０２を９０°回転した状態を示す図である。回転式端子カバー１０２の引き抜き途中状態では回転式端子カバー１０２を３６０°回転可能であるが、本図に示すように、回転式端子カバー１０２を指定した角度、例えば、９０°回転した状態に手を用いずに固定したい場合がある。回転式端子カバー１０２が任意に回転して他の操作の邪魔になるのを防止するためである。
【００３０】
図１２は回転式端子カバー１０２の回転を固定する部材の例を示す断面図である。本図に示すように、筐体１０１の内側で挿入穴１０５の位置に角度決め部１０６が設けられ、角度決め部１０６は指定した角度で、例えば、角度９０°の状態で回転式端子カバー１０２を引っ張りきった時に回転式端子カバー１０２の回転を固定する。
【００３１】
図１３は図１２における角度決め部１０６の概略構造を示す斜視図である。本図に示すように、角度決め部１０６には角度決め穴部１０６Ａが設けられ、角度決め穴部１０６Ａは挿入穴１０５と同様に端子カバー腕１０３を通過させるための穴と腕先端部１０４のくさび形の板状の後端を嵌めこむ溝とからなる。
図１４は図１２の角度決め部１０６により固定される回転式端子カバー１０２を示す側面図である。本図に示すように、回転式端子カバー１０２を引き抜き９０°回転して引っ張ると、端子カバー腕１０３の腕先端部１０４が角度決め部１０６に嵌合し、回転式端子カバー１０２は回転しないように９０°に固定される。
【００３２】
図１５は図１４における腕先端部１０４が角度決め部１０６に嵌合している様子を示す斜視図である。本図に示すように、角度決め部１０６の角度決め穴部１０６Ａの溝部に腕先端部１０４のくさびの後端が嵌合し、回転式端子カバー１０２は回転しない。
なお、回転式端子カバー１０２を押すと、角度決め部１０６の角度決め穴部１０６Ａの溝部から腕先端部１０４のくさびの後端がはずれ、嵌合が解除され、回転式端子カバー１０２の回転が可能になる。
【産業上の利用可能性】
【００３３】
以上、折畳み式携帯電話機について説明を行ったが、これに限定されず、棒状の携帯電話機にも利用可能であり、さらに、ＰＤＡ（携帯情報端末）、ＰＨＳ（簡易型携帯電話機）にも利用可能である。
【図面の簡単な説明】
【００３４】
【図１】本発明に係る折畳み式携帯電話機における端子カバーの概略構造を示す斜視図である。
【図２】図１の回転式端子カバー１０２の概略構造を示す図である。
【図３】図１における折畳み式携帯電話機１００の回転式端子カバー１０２について挿入前の概略構造を示す斜視図である。
【図４】図２における端子カバー腕１０３及び腕先端部１０４の詳細構造を示す斜視図である。
【図５】端子カバー腕１０３及び腕先端部１０４の挿入、引き抜きの一連の動作例を説明する断面図である。
【図６】端子カバー腕１０３及び腕先端部１０４の挿入、引き抜きの一連の動作例を説明する断面図である。
【図７】端子カバー腕１０３及び腕先端部１０４の挿入、引き抜きの一連の動作例を説明する断面図である。
【図８】端子カバー腕１０３及び腕先端部１０４の挿入、引き抜きの一連の動作例を説明する断面図である。
【図９】端子カバー腕１０３及び腕先端部１０４の挿入、引き抜きの一連の動作例を説明する断面図である。
【図１０】端子カバー腕１０３及び腕先端部１０４の挿入、引き抜きの一連の動作例を説明する断面図である。
【図１１】回転式端子カバー１０２を９０°回転した状態を示す図である。
【図１２】回転式端子カバー１０２の回転を固定する部材の例を示す断面図である。
【図１３】図１２における角度決め部１０６の概略構造を示す斜視図である。
【図１４】図１２の角度決め部１０６により固定される回転式端子カバー１０２を示す側面図である。
【図１５】図１４における腕先端部１０４が角度決め部１０６に嵌合している様子を示す斜視図である。
【符号の説明】
【００３５】
１００…折畳み式携帯電話機
１０１…筐体
１０２…回転式端子カバー
１０３…端子カバー腕
１０４…腕先端部
１０４Ａ…接触部
１０４Ｂ…引っ掛け部
１０４Ｃ…切り欠き部
１０５…挿入穴
１０６…角度決め部
１０６Ａ…角度決め穴部
【図１】
0004900715.tif 000002
【図２】
0004900715.tif 000003
【図３】
0004900715.tif 000004
【図４】
0004900715.tif 000005
【図５】
0004900715.tif 000006
【図６】
0004900715.tif 000007
【図７】
0004900715.tif 000008
【図８】
0004900715.tif 000009
【図９】
0004900715.tif 000010
【図１０】
0004900715.tif 000011
【図１１】
0004900715.tif 000012
【図１２】
0004900715.tif 000013
【図１３】
0004900715.tif 000014
【図１４】
0004900715.tif 000015
【図１５】
0004900715.tif 000016